(57)【要約】【課題】快適な冷房環境を実現すると共に、圧縮機および室内送風機の消費電力の無駄を解消することができる空気調和機を提供する。【解決手段】冷房運転の継続中、検知温度Ｔｍが、設定温度Ｔｓよりもバイアス温度ΔＴｓだけ低い温度である制御温度Ｔｃに到達した時点で、圧縮機を停止すると共に、室内Ｒに人体が無い場合、ターボファン７の回転を停止し、室内Ｒに人体が有る場合、ターボファン７の回転を継続すると共に、検知温度Ｔｍの値を所定の温度補正量ΔＴｍだけ低温の補正検知温度Ｔａに補正する。補正検知温度Ｔａが設定温度Ｔｓ（ハンチング防止のため制御温度Ｔｃ）以下の温度である間は（Ｔａ＝Ｔｍ−ΔＴｍ≦Ｔｃ）、室内Ｒに人が居る限り、ターボファン７の回転を継続し、補正検知温度Ｔａが設定温度Ｔｓを超えたとき（Ｔａ＞Ｔｓ）、サーモオンを再開する。【選択図】図４
2014025598.tif 000002
【特許請求の範囲】
【請求項１】
冷凍サイクルの一部を実行する圧縮機、室外熱交換器および膨張弁を収納する室外機と、
前記冷凍サイクルの一部を実行する室内熱交換器を収納する室内機と、
該室内機に収納され、該室内機が設置されている室内の空気である室内空気を吸引して前記室内熱交換器に供給すると共に、前記室内熱交換器を通過した前記室内空気を前記室内に吹き出す室内送風機と、
前記室内空気の温度を検知する室内空気温度検知手段と、
前記室内における人体の有無を検知する人体有無検知手段と、
室内空気の温度を設定する室内空気温度設定手段と、
前記室内空気温度検知手段が検知した室内空気の温度である検知温度、前記人体有無検知手段が検知した人体情報、および前記室内空気温度設定手段において設定された室内空気の温度である設定温度に基づいて、前記冷凍サイクルおよび前記室内送風機を制御する制御手段と、
を有し、
前記制御手段は、前記室内熱交換器が蒸発器として機能する際、前記検知温度が前記設定温度よりも低いとき前記冷凍サイクルを停止すると共に、前記人体情報が人体無しであるときは、前記室内送風機を停止し、一方、前記人体情報が人体在りであるときは、前記室内送風機を運転することを特徴とする空気調和機。
【請求項２】
前記制御手段は、前記検知温度が前記設定温度よりも低いため前記冷凍サイクルが停止され、前記人体情報が人体在りであるため前記室内送風機が運転されている時、前記検知温度を所定の温度補正量だけ低めに補正し、該補正した検知温度である補正検知温度が前記設定温度よりも高くなったとき、前記冷凍サイクルの運転を再開することを特徴とする請求項１記載の空気調和機。
【請求項３】
前記制御手段は、前記温度補正量を、前記室内送風機が吹き出す室内空気の吹出速度が速い程、大きくすることを特徴とする請求項２記載の空気調和機。
【請求項４】
前記人体有無検知手段が、前記室内における人体と前記室内機との距離を検知することができるものであって、
前記制御手段は、前記温度補正量を、前記人体有無検知手段が検知した前記室内における人体と前記室内機との距離が大きくなる程、小さくすることを特徴とする請求項２または３記載の空気調和機。
【請求項５】
前記室内機に、前記室内送風機が吹き出す室内空気の方向を変更することができる風向フラップが設置され、
前記制御手段は、前記室内送風機が運転されている時、前記風向フラップを上下方向または左右方向の一方または両方に向かってスイングすることを特徴とする請求項１乃至４の何れか一項に記載の空気調和機。
【発明の詳細な説明】
【技術分野】
【０００１】
本発明は、空気調和機に関する。
【背景技術】
【０００２】
従来の空気調和機において、例えば冷房運転の際、室内空気の実測温度が設定温度よりも高い場合には圧縮機を運転して室温調整を行うサーモオン運転と、実測温度が設定温度よりも低い場合には圧縮機を停止するサーモオフ運転とが実行され、サーモオフ運転時においても冷涼感の向上を目的として、室内機の送風機を運転し続けていた。このため、消費電力が大きくなることから、消費電力の低減と快適性とを兼ね備えた空気調和装置が提案されている（例えば、特許文献１参照）。
【先行技術文献】
【特許文献】
【０００３】
【特許文献１】特開２０１２−７７７９号公報（第９−１０頁、図３）
【発明の概要】
【発明が解決しようとする課題】
【０００４】
特許文献１に開示された空気調和機は、室内温度を検知する温度センサーと、室内湿度を検知する湿度センサーとを有し、冷房運転において、実測温度が設定温度よりも低い場合には圧縮機を停止するサーモオフ運転時に、湿度センサーにより検知された室内湿度が設定湿度よりも低い場合に、室内送風機を停止させる制御または室内送風機の回転数を小さくする制御を実行し、一方、湿度センサーにより検知された室内湿度が設定湿度よりも高い場合には、室内送風機の運転を継続する制御を実行するものである。
【０００５】
すなわち、従来の空気調和装置は、実測温度と設定温度との比較によってサーモオフ運転およびサーモオン運転を繰り返すため、サーモオフ運転の時間を長くして圧縮機の消費電力を低減したいという要請があった。また、人体に冷却風が当たっているときには、人体の体感温度が下がるため、サーモオン運転を再開した直後に、冷房が過剰であると感じることがあった。
また、実測湿度と設定湿度との比較によって室内送風機の運転を制御するものであるため、室内に人（ユーザー）が不在の場合であっても、送風する（室内送風機の運転を継続する）ことになり、室内送風機の消費電力が無駄になるという問題があった。
【０００６】
この発明は、上記のような要請に応えると共に、上記のような問題を解決するためになされたものであって、快適な冷房環境を実現すると共に、圧縮機および室内送風機の消費電力の無駄を解消することができる空気調和機を提供することを目的とする。
【課題を解決するための手段】
【０００７】
本発明に係る空気調和機は、冷凍サイクルの一部を実行する圧縮機、室外熱交換器および膨張弁を収納する室外機と、前記冷凍サイクルの一部を実行する室内熱交換器を収納する室内機と、該室内機に収納され、該室内機が設置されている室内の空気である室内空気を吸引して前記室内熱交換器に供給すると共に、前記室内熱交換器を通過した前記室内空気を前記室内に吹き出す室内送風機と、前記室内空気の温度を検知する室内空気温度検知手段と、前記室内における人体の有無を検知する人体有無検知手段と、室内空気の温度を設定する室内空気温度設定手段と、前記室内空気温度検知手段が検知した室内空気の温度である検知温度、前記人体有無検知手段が検知した人体情報、および前記室内空気温度設定手段において設定された室内空気の温度である設定温度に基づいて、前記冷凍サイクルおよび前記室内送風機を制御する制御手段と、を有し、前記制御手段は、前記室内熱交換器が蒸発器として機能する際、前記検知温度が前記設定温度よりも低いとき前記冷凍サイクルを停止すると共に、前記人体情報が人体無しであるときは、前記室内送風機を停止し、一方、前記人体情報が人体在りであるときは、前記室内送風機を運転することを特徴とする。
【発明の効果】
【０００８】
この発明の空気調和機は、検知温度が設定温度よりも低いとき冷凍サイクルを停止すると共に（サーモオフ運転時に同じ）、室内における人体の有無を検知して、人体が無いときには室内送風機を停止するから、室内送風機の消費電力の無駄を解消することができる。
【図面の簡単な説明】
【０００９】
【図１】本発明の実施の形態１に係る空気調和機の全体の構成を示す構成図。
【図２】図１に示す空気調和機の一部（室内機）を示す斜視図。
【図３】図１に示す空気調和機の一部（室内機）を示す断面図。
【図４】図１に示す空気調和機の制御を説明するフローチャート。
【図５】図１に示す空気調和機の作用を説明するための温度チャート。
【図６】図１に示す空気調和機の作用を説明するための温度チャート。
【発明を実施するための形態】
【００１０】
［実施の形態１］
図１〜図６は本発明の実施の形態１に係る空気調和機を説明するものであって、図１は全体の構成を示す構成図、図２は一部（室内機）を示す斜視図、図３は一部（室内機）を示す断面図、図４は制御を説明するフローチャート、図５および図６は作用を説明するための温度の経時変化を示す温度チャートである。なお各図は模式的に描いたものであって、本発明は図示された形態に限定するものではない。
【００１１】
（空気調和機）
図１において、空気調和機１００は、室外機Ｘと、室内機Ｙと、リモコン（室内空気温度設定手段に相当する）Ｚと、液延長配管Ａと、ガス延長配管Ｂと、制御手段Ｃとを有している。
室内機Ｙは、建物内の閉空間（以下「室内Ｒ」と称す）に設置されている。
このとき、室外機Ｘは、冷凍サイクルの一部を実行する圧縮機、室外熱交換器および膨張弁（何れも図示しない）を収納し、室内機Ｙは、前記冷凍サイクルの一部を実行する室内熱交換器を収納している。そして、圧縮機、室外熱交換器、膨張弁および室内熱交換器は冷媒を循環することができるように冷媒配管（液延長配管Ａ、ガス延長配管Ｂおよび図示しない配管）によって連通されている。
【００１２】
（室内機）
図２において、室内機Ｙは、下面が開口した略直方体の箱体（断面正方形の底付き筒体）のキャビネット１と、キャビネット１の開口部（下面）を覆う矩形状の化粧パネル２とを有し、化粧パネル２には、中央部に吸込口３ｂと、側縁に沿って合計４個所に吹出口３ａが形成され、角部にセンサー部５が設けられている。そして、吹出口３ａには上下方向の吹出方向を制御可能な風向フラップ４が設置されている。
【００１３】
図３において、キャビネット１の天面１ａの中心にはファンモータ６が回転軸６ａを下方に向けて設置され、回転軸６ａにはターボファン（室内送風機に同じ）７が取り付けられている。
そして、ターボファン７を囲むように室内熱交換器８が配置され、室内熱交換器８の外側には風路を構成し、熱交換された空気と機外とを断熱するインナーカバー９が、室内熱交換器８を囲むように、キャビネット１の天面１ａおよび側面１ｂの内側に配置されている。
また、室内熱交換器８の下部には、熱交換の際に発生する凝縮水を受けると共に、風路を構成するドレインパン１０が配置され、ドレインパン１０の下部には化粧パネル２が設けられている。
【００１４】
すなわち、化粧パネル２において、ターボファン７のターボファン吸込口７ａに連通する吸込口３ｂ（開口部）には、機器内部に塵埃等が侵入するのを防止するエアフィルタ１１が配置され、エアフィルタ１１は、目隠しとして機能するグリル構造によって支持されている。
また、化粧パネル２に形成された吹出口３ａは、インナーカバー９およびドレインパン１０により構成される風路に連通している。
さらに、エアフィルタ１１とターボファン７との間には吸込んだ空気をターボファン７にスムーズに導入するためのベルマウス１２が配置されている。吸込口３ｂの近傍には吸込み温度センサー（室内空気温度検知手段に同じ）１３が設けられている。
また、センサー部（正確には、後記する「輻射センサー」）５は、モータ（図示しない）により鉛直方向の軸を中心に３６０度回転可能になっている。
【００１５】
（センサー部）
センサー部５は、図示しないセンサー用モータと、センサー用モータの回転軸に接続されて回転されるセンサーケースと、センサーケース内に収納された輻射センサー（人体有無検知手段に同じ）とを有し、輻射センサーの検知部は略円錐型凸部５ａに形成された検知穴５ｂを通して外部に露出するよう構成される。
輻射センサー（人体有無検知手段）は複数の検知部（図示しない）から構成され、該検知部は前記略円錐型凸部５ａの球状の面の法線に対して平行に配列される。前記輻射センサーは、例えば多眼あるいは複数個の赤外線センサーであり、赤外線センサーは複数のエリアに分割されている。
【００１６】
（リモコン）
リモコンＺ（室内空気温度設定手段に相当する）は、通信手段（有線または無線）によって、室内機Ｙに向けて、冷凍サイクルの起動／停止を指令したり、冷房／暖房／乾燥等の空調モードを設定したり、吹出空気温度を設定したり、吹出空気の方向および風速等の空調条件を設定したりする信号を、送るものである。
【００１７】
（制御手段）
制御手段Ｃは、リモコンＺからの信号に基づいて、冷凍サイクル（圧縮機）の実行を制御したり、ターボファン７の運転を制御したりするものである。なお、図１には、制御手段Ｃが室外機Ｘに搭載されているが、本発明はこれに限定するものではなく、室内機Ｙに搭載してもよく、あるいは、室外機Ｘと室内機Ｙとを分けて搭載してもよい。
【００１８】
（動作）
次に空気調和機１００の動作について図４を用いて説明する。
図４において、リモコンＺによって、冷房運転の開始が指令される（Ｓ１）。
そうすると、予め設定されていた吹出空気温度（以下「設定温度Ｔｓ」と称す）や、吹出空気の方向および風速等の空調条件に基づいて、あるいは、リモコンＺの操作によってユーザーが設定した新たな設定温度Ｔｓ等の空調条件に基づいて、冷房運転（圧縮機の運転およびターボファン７の回転）が開始され、冷房運転が継続される（Ｓ２）。
【００１９】
さらに、冷房運転の継続中は、所定の時間間隔毎に、吸い込まれた室内空気の温度（以下「検知温度Ｔｍ」と称す）を吸込み温度センサー１３によって検知し、検知温度Ｔｍと設定温度Ｔｓとを比較する（正確には、下記のように制御温度Ｔｃとを比較する、Ｓ３）。
そして、検知温度Ｔｍが設定温度Ｔｓを超える高い温度である場合は、冷却不足であるから、冷房運転を継続する（「サーモオン」に同じ、Ｓ２に戻る）。
このとき、冷房運転は、制御を安定化（ハンチング防止）するため、設定温度Ｔｓよりもさらにバイアス温度（例えば、１℃）ΔＴｓだけ低い温度である制御温度Ｔｃ（Ｔｃ＝Ｔｓ−ΔＴｓ）を採用している。すなわち、検知温度Ｔｍが制御温度Ｔｃ以下の低い温度に達するまで（Ｔｍ＞Ｔｃ＝Ｔｓ−ΔＴｓ）、圧縮機を運転するものであって、インバータ制御によって、制御温度Ｔｃと検知温度Ｔｍとが近い程、圧縮機の運転周波数を小さくし、制御温度Ｔｃと検知温度Ｔｍとの差が大きい程、圧縮機の運転周波数を大きくする。
【００２０】
一方、検知温度Ｔｍが制御温度Ｔｃ以下の低い温度である場合（Ｔｍ≦Ｔｃ＝Ｔｓ−ΔＴｓ）は、冷却が十分であるから、圧縮機を停止する（「サーモオフ」に同じ、Ｓ４）。
さらに、センサー部５に設置された輻射センサー（人体有無検知手段）が室内Ｒに人体がいることを検知したか否か判断する（Ｓ５）。
そして、室内Ｒに人体が無い場合（ユーザーが不在の場合）は、ターボファン７（ファンモータ６）の回転を停止する（Ｓ６）。
一方、室内Ｒに人体が有る場合（ユーザーが居る場合）は、ターボファン７（ファンモータ６）の回転を継続すると共に、検知温度Ｔｍの値を所定の温度補正量ΔＴｍだけ低温に補正する（Ｓ７）。すなわち、補正後の検知温度を「補正検知温度Ｔａ」と称すと、「Ｔａ＝Ｔｍ−ΔＴｍ」となる。
【００２１】
さらに、所定時間毎に、検知温度Ｔｍを吸込み温度センサー１３によって検知して、補正検知温度Ｔａを求め、補正検知温度Ｔａと設定温度Ｔｓとを比較する（Ｓ８）。このとき、サーモオフの判断にバイアス温度ΔＴｓを採用しているから、サーモオンの判断においては設定温度Ｔｓをそのまま使用している（バイアス温度分の変更をしていない）。
そして、補正検知温度Ｔａが設定温度Ｔｓ以下の温度である間は（Ｔａ＝Ｔｍ−ΔＴｍ≦Ｔｓ）、室内Ｒに人が居る限り、ターボファン７（ファンモータ６）の回転を継続する（Ｓ５に戻る）。
すなわち、サーモオフ（圧縮機が停止している）であるため、実際は、検知温度Ｔｍが制御温度Ｔｃよりも高くなっていても、人体に冷却風が当たっているときには、人体の体感温度が下がるため、送風によって、ユーザーの快適性が担保されている。また、以下に説明するように、補正検知温度Ｔａと設定温度Ｔｓとを比較してターボファン７（ファンモータ６）の回転を継続、すなわち、サーモオフの継続（サーモオンの再開に同じ）を判断しているから、検知温度Ｔｍと設定温度Ｔｓとを比較する場合に比べて、ターボファン７（ファンモータ６）の回転時間、すなわち、サーモオフの継続時間を長くすることが可能になっている。
【００２２】
一方、ステップ８（Ｓ８）において補正検知温度Ｔａが設定温度Ｔｓを超えた高い温度である間は（Ｔａ＞Ｔｓ）、送風によってユーザーの快適性が担保されないため、リモコンにて冷房運転ＯＦＦの指令が発せられない限り（Ｓ９）、サーモオンを再開する。このとき、補正検知温度Ｔａによる制御を中止して、実際に吸込み温度センサー１３が検知した検知温度Ｔｍをそのまま用いて、これと制御温度Ｔｃとを比較するようにして（Ｓ１０）、ターボファン７（ファンモータ６）の回転を継続したまま、圧縮機の運転を再開する（Ｓ２に戻る）。
なお、前記ステップ９（Ｓ９）あるいは前記ステップ１〜ステップ１０（Ｓ１〜Ｓ１０）の間に、リモコンＺから冷房運転を停止（ＯＦＦ）する旨の指令が発せられた場合には、冷房運転を停止する（圧縮機の運転およびターボファン７の回転を停止する）。
【００２３】
以上のように、サーモオフの間であっても、室内Ｒに人が居ない場合は、ターボファン７（ファンモータ６）の回転を停止して、無駄な電力消費を抑えている。また、補正検知温度Ｔａを採用することによって、サーモオフの時間を延長し、圧縮機による電力消費を抑えている。
なお、以上は、室内の人体有無の判断と、補正検知温度Ｔａの採用との両方を実行しているが、何れか一方を実行するようにしてもよい。
【００２４】
（検知温度を補正することによる効果）
図５は、検知温度を補正することによる効果を模式的に説明するものであって、縦軸は温度、横軸は時間である。なお、図中の各温度は一例であって、本発明はかかる温度に限定されるものではない。
図５において、実線で示す曲線は、実際に吸込み温度センサー１３が検知した検知温度Ｔｍの推移である。すなわち、冷房運転が開始されると（状態「イ」）、室内空気は徐々に冷却され、検知温度Ｔｍは低下する。そして、検知温度Ｔｍが設定温度Ｔｓ（２６℃、状態「ロ」）以下になっても、検知温度Ｔｍが制御温度Ｔｃ（２５℃、状態「ハ」）になるまでは冷房運転が継続される（ヒートオンに同じ）。
そして、検知温度Ｔｍが制御温度Ｔｃ（２５℃、状態「ハ」）になったところで、圧縮機の運転が停止される（ヒートオフになる）。そうすると、室内空気の冷却が停止するから、検知温度Ｔｍは徐々に上昇し、やがて、設定温度Ｔｓに到達し（状態「ニ」）、さらに、設定温度Ｔｓよりも高い温度になる（状態「チ」）。
【００２５】
ところで、本発明の空気調和機１００は、前記動作を実行している。すなわち、検知温度Ｔｍが制御温度Ｔｃ（２５℃、状態「ハ」）になったところで、圧縮機の運転が停止される（ヒートオフになる）と共に、検知温度Ｔｍが補正され、検知温度Ｔｍは温度補正量ΔＴｍ（例えば、１℃）だけ低温に補正された補正検知温度Ｔａに読み替えられる（仮想状態「ヘ」）。
そうすると、補正検知温度Ｔａは破線で示すように、実際の検知温度Ｔｍよりも温度補正量ΔＴｍだけ低温側に偏位した仮想曲線を呈しながら、徐々に上昇し、やがて、設定温度Ｔｓに到達する（仮想状態「ト」）から、この時点で、圧縮機の運転が再開される（ヒートオンになる）。
【００２６】
すなわち、温度補正量ΔＴｍを採用することによって、実際の検知温度Ｔｍが設定温度Ｔｓに到達した状態「ニ」ではなく、実際の検知温度Ｔｍが温度補正量ΔＴｍだけ高くなっている状態「チ」において、圧縮機の運転が再開されるから、温度補正量ΔＴｍを採用しないで、実際の検知温度Ｔｍが設定温度Ｔｓに到達した状態「ニ」になった時点で、圧縮機の運転が再開される場合に比較して、状態「ニ」から仮想状態「ト」になるまでの時間Ｔだけ、圧縮機の運転停止時間（サーモオフの時間）が延長されている。
したがって、かかる延長された時間Ｔに相当する圧縮機の電力消費が削減されている。
なお、状態「チ」において、圧縮機の運転が再開されるから、実際の検知温度Ｔｍは、圧縮機の運転が再開直後は、僅かに熱慣性によって上昇して状態「ホ」まで上昇するものの、その後は、徐々に低下する。
【００２７】
（温度補正量）
温度補正量ΔＴｍは、体感温度を参考にして決定されるものである。
すなわち、人体が感じる体感温度Ｔｆ（℃）は、室内に風流れが有る場合は、実際の室内空気の温度（検知温度Ｔｍ（℃）に同じ）に一致するものではなく、人体に到達する風流れの風速Ｖ（ｍ／ｓ）の平方根に修正係数α（例えば、２あるいは４）を乗じた値だけ低温に偏位する（Ｔｆ＝Ｔｍ−α・√Ｖ）。
したがって、人体に到達する風速Ｖ（ｍ／ｓ）が大きい場合には、検知温度Ｔｍが設定温度Ｔｓまたは制御温度Ｔｃよりも高くても、体感温度Ｔｆは、設定温度Ｔｓまたは制御温度Ｔｃよりも低い温度になる。すなわち、人体には風を当てて体感温度を下げる制御を行なっているため、快適な体感温度Ｔｆを確保することができ、快適性を維持することが可能になっている。
【００２８】
すなわち、温度補正量ΔＴｍは、人体に到達する風速Ｖ（ｍ／ｓ、以下「到達風速」と称す）が大きい場合には、大きな値をとって、圧縮機の運転停止時間（サーモオフの時間）をより延長し、反対に、人体に到達する風速Ｖ（ｍ／ｓ）が小さい場合には、小さく値をとって、快適性を担保するようにすることが望ましい。
そうすると、室内Ｒに居る人体と室内機Ｙとの距離を測定することができない場合には、温度補正量ΔＴｍを一定値（例えば、１℃）にしたり、ターボファン７の回転速度に略比例した値（例えば、０〜２℃の範囲で変動する値）にしたりしてもよい。
【００２９】
さらに、センサー部５（輻射センサー）に、室内Ｒに居る人体と室内機Ｙとの距離を測定することができる機能を付加して、両者の距離を知ることができる場合には、両者の距離が近くなる程、且つ、ターボファン７の回転速度が大きくなる（吹出空気の速度が速くなる（強風になる））程、到達風速Ｖは速くなるため、温度補正量ΔＴｍの値を大きくしてもよい。なお、室内Ｒに複数の人体があるときは、最も遠くに居る人の快適性を重視して、最も遠くにある人体との距離を用いるのが好ましい。かかる例を、表１に示す。
【００３０】
【表１】
2014025598.tif 000003
【００３１】
表１において、ターボファン７の回転数が大きい場合（「強風」に同じ）、室内機Ｙから２ｍ、４ｍおよび６ｍの位置における到達風速Ｖ（ｍ／ｓ）は、１．００（ｍ／ｓ）、０．５６（ｍ／ｓ）および０．２５（ｍ／ｓ）となる。そして、修正係数αを「２」とすると、室内機Ｙから２ｍ、４ｍおよび６ｍの位置における温度補正量ΔＴｍは、２．０℃、１．５℃および１．０℃に丸めることができる。このとき、修正係数を「２」としたのは、「４」とすると、補正が掛かり過ぎるためである。
同様に、ターボファン７の回転数が中程度の場合（「中風」に同じ）、室内機Ｙから２ｍ、４ｍおよび６ｍの位置における温度補正量ΔＴｍは、１．５０℃、１．０℃および０．５０℃に丸めることができる。さらに、ターボファン７の回転数が小さい場合（「弱風」に同じ）、室内機Ｙから２ｍ、４ｍおよび６ｍの位置における温度補正量ΔＴｍは、１．０℃、０．５℃および０．０℃に丸めることができる。
【００３２】
（設定温度を補正することによる効果）
図６は、図５に説明した検知温度を補正することによる効果に代えて、設定温度を補正することによる効果を模式的に説明するものであって、縦軸は温度、横軸は時間である。なお、図５と同じ状態あるいは相当する状態については同じ符号を付し、一部の説明を省略する。
【００３３】
図６において、検知温度Ｔｍが制御温度Ｔｃ（２５℃、状態「ハ」）になったところで、圧縮機の運転が停止される（ヒートオフになる）。そうすると、室内空気の冷却が停止するから、検知温度Ｔｍは徐々に上昇する。
このとき、設定温度Ｔｓが補正され、設定温度Ｔｓは温度補正量ΔＴｓ（例えば、１℃）だけ高温に補正された設定温度Ｔｓに読み替えられる（仮想状態「リ」）。
そうすると、補正された設定温度Ｔｓは二点鎖線で示すように、当初の設定温度Ｔｓよりも温度補正量ΔＴｓだけ高温側に偏位した直線になる。そうすると、実際の検知温度Ｔｍは、当初の設定温度Ｔｓ（状態「ニ」）を超えて、補正された設定温度Ｔｓに到達する（仮想状態「チ」）から、この時点で、圧縮機の運転が再開される（ヒートオンになる）。
したがって、検知温度Ｔｍを補正した場合（図５参照）と同様に、実際の検知温度Ｔｍが当初の設定温度Ｔｓに到達した状態「ニ」ではなく、実際の検知温度Ｔｍが温度補正量ΔＴｓだけ高くなっている状態「チ」において、圧縮機の運転が再開されるから、状態「ニ」から仮想状態「チ」になるまでの時間Ｔだけ、圧縮機の運転停止時間（サーモオフの時間）が延長されている。
したがって、かかる延長された時間Ｔに相当する圧縮機の電力消費が削減されている。
なお、状態「チ」において、圧縮機の運転が再開された際、設定温度の補正を中止して、設定温度を当初の設定温度に戻す。
【符号の説明】
【００３４】
１  キャビネット、１ａ  天面、１ｂ  側面、２  化粧パネル、３ａ  吹出口、３ｂ  吸込口、４  風向フラップ、５  センサー部、５ａ  略円錐型凸部、５ｂ  検知穴、６  ファンモータ、６ａ  回転軸、７  ターボファン、７ａ  ターボファン吸込口、８  室内熱交換器、９  インナーカバー、１０  ドレインパン、１１  エアフィルタ、１２  ベルマウス、１３  吸込み温度センサー、１００  空気調和機、Ａ  液延長配管、Ｂ  ガス延長配管、Ｃ  制御手段、Ｒ  室内、Ｘ  室外機、Ｙ  室内機、Ｚ  リモコン、Ｔａ  補正検知温度、Ｔｃ  制御温度、Ｔｆ  体感温度、Ｔｍ  検知温度、Ｔｓ  設定温度、ΔＴｍ  温度補正量、ΔＴｓ  バイアス温度、ΔＴｓ  温度補正量、α  修正係数。
【図１】
2014025598.tif 000004
【図２】
2014025598.tif 000005
【図３】
2014025598.tif 000006
【図４】
2014025598.tif 000007
【図５】
2014025598.tif 000008
【図６】
2014025598.tif 000009